(57)【要約】【課題】  チルト駆動機構を備えたワイヤサスペンションタイプの対物レンズ駆動装置において、チルト駆動機構の構成を簡素化して装置の小型化を図ることができる構成を提供すること。【解決手段】  対物レンズ２を保持するレンズホルダ３を６本のワイヤ４で移動可能に支持して対物レンズ駆動装置１において、レンズホルダ３をチルトＴｉ方向に駆動するチルト駆動機構１２は、レンズホルダ３に搭載された１つのチルト駆動コイル１３と、チルト駆動コイル１３と対向するようにヨーク６の保持部６ｃに固着され、チルト駆動コイル１３と対向する面が４極に分極されて着磁された１つのチルト駆動マグネット１４とから構成されている。【選択図】      図４
2006066048.tif 000002
【特許請求の範囲】
【請求項１】
対物レンズと、該対物レンズを保持するレンズホルダと、該レンズホルダを移動可能に複数本のワイヤで支持する固定側部材と、前記レンズホルダをフォーカシング方向及びトラッキング方向に駆動するフォーカシング・トラッキング駆動機構と、前記レンズホルダをチルト方向に駆動するチルト駆動機構とを備える対物レンズ駆動装置において、
前記チルト駆動機構は、前記レンズホルダおよび前記固定側部材のいずれか一方側に取り付けられ１箇所に配置されたチルト駆動コイルと、前記レンズホルダおよび前記固定側部材の他方側で前記チルト駆動コイルと対向する１箇所に配置されたチルト駆動マグネットとからなることを特徴とする対物レンズ駆動装置。
【請求項２】
請求項１において、
前記１箇所に配置されたチルト駆動マグネットは、前記チルト駆動コイルと対向する位置に配置された１つのマグネットからなることを特徴とする対物レンズ駆動装置。
【請求項３】
請求項１において、
前記１箇所に配置されたチルト駆動マグネットは、前記チルト駆動コイルと対向する位置に配置された、単極着磁された複数個のマグネットを一体化したものであるか、近接配置したものであることを特徴とする対物レンズ駆動装置。
【請求項４】
請求項１において、
前記１箇所に配置されたチルト駆動コイルは、前記チルト駆動マグネットと対向する位置に配置された１つのコイルからなることを特徴とする対物レンズ駆動装置。
【請求項５】
請求項１において、
前記１箇所に配置されたチルト駆動コイルは、前記１箇所に配置されたチルト駆動マグネットと対向する位置に配置された、複数のコイルからなることを特徴とする対物レンズ駆動装置。
【請求項６】
請求項１において、
前記チルト駆動コイルは、前記チルト駆動マグネットとの対向面が縦辺部と横辺部とを有する矩形状となるように巻回され、
前記チルト駆動マグネットは、前記チルト駆動コイルとの対向面に、前記縦辺部及び横辺部に平行な分極線により４極に分極着磁された４つの着磁部を有するとともに、当該４つの着磁部にはＮ極およびＳ極が交互に着磁され、
前記縦辺部及び横辺部は、前記４つの着磁部のうち２つの着磁部に跨って対向するように配置されていることを特徴とする対物レンズ駆動装置。
【請求項７】
請求項６において、
前記チルト駆動コイルの前記横辺部は、前記チルト駆動マグネットの縦辺部に平行な分極線が前記トラッキング方向における中央位置となるように配置することを特徴とする対物レンズ駆動装置。
【請求項８】
請求項１において、
前記チルト駆動コイルは、前記レンズホルダが駆動されるトラッキング方向と平行に形成されるとともにフォーカシング方向に並列して形成された２つの横辺部を備えるとともに、前記チルト駆動マグネットは、前記レンズホルダが駆動されるフォーカシング方向に着磁されたＮ極およびＳ極を有し、該Ｎ極およびＳ極にそれぞれ対向させて前記２つの横辺部を配設し、
前記２つの横辺部に逆方向の電流を流すことにより、レンズホルダが駆動されるトラッキング方向における前記チルト駆動コイルの前記横辺部の両側において、前記チルト駆動マグネットと前記チルト駆動コイルとに前記レンズホルダが駆動されるフォーカシング方向に関して逆方向の力を相対的に発生させることにより、前記レンズホルダをチルト方向に駆動するようにしたことを特徴とする対物レンズ駆動装置。
【請求項９】
請求項８において、
前記チルト駆動コイルは、前記チルト駆動マグネットとの対向面が縦辺部と前記横辺部とを有する矩形状となるように巻回された１つのコイルからなり、
前記チルト駆動マグネットは、前記チルト駆動コイルとの対向面に、前記縦辺部および前記横辺部とに平行な分極線により４極に分極着磁された４つの着磁部を有し、
前記チルト駆動コイルの前記横辺部の両側における前記チルト駆動マグネットの着磁部は、前記レンズホルダが駆動されるフォーカシング方向に関して逆極性となるように着磁されており、
前記１つのコイルに通電したときに、前記チルト駆動コイルの前記横辺部の両側において、前記チルト駆動マグネットと前記チルト駆動コイルとに前記レンズホルダが駆動されるフォーカシング方向に関して逆方向の力を相対的に発生させることを特徴とする対物レンズ駆動装置。
【請求項１０】
請求項８において、
前記チルト駆動マグネットは、前記チルト駆動コイルとの対向面に、前記横辺部とに平行な分極線により２極に分極着磁された２つの着磁部を有し、
前記チルト駆動コイルは、前記チルト駆動マグネットとの対向面に前記横辺部を有するように巻回された２つのコイルを、前記レンズホルダが駆動されるトラッキング方向に並べて配置するとともに、同極の着磁部に配設された前記２つのコイルの前記横辺部に逆方向の電流が流れるように互いに接続して構成し、
前記２つのコイルの前記横辺部にそれぞれ逆方向の電流を流すことにより、前記２つのコイルのそれぞれの前記横辺部において、前記チルト駆動マグネットと前記２つのチルト駆動コイルとに前記レンズホルダが駆動されるフォーカシング方向に関して逆方向の力を相対的に発生させることを特徴とする対物レンズ駆動装置。
【請求項１１】
請求項８において、
前記チルト駆動マグネットは、前記チルト駆動コイルとの対向面に、前記縦辺部および前記横辺部とに平行な分極線により４極に分極着磁された４つの着磁部を有し、
前記チルト駆動コイルは、前記チルト駆動マグネットとの対向面が縦辺部と前記横辺部とを有する矩形状となるように巻回された２つのコイルを前記トラッキング方向に並べて配置するとともに、前記チルト駆動コイルの縦辺部と平行な分極線により分極された着磁部に前記２つのコイルをそれぞれ配設し、前記２つのコイルの横辺部に同方向の電流が流れるように互いに接続して構成し、
前記２つのコイルの横辺部における前記チルト駆動マグネットの着磁部は、前記レンズホルダが駆動されるフォーカシング方向に関して逆極性となるように着磁されていることを特徴とする対物レンズ駆動装置。
【請求項１２】
請求項１１において、
前記２つのコイルの前記トラッキング方向における間に、前記チルト駆動マグネットとの対向面が縦辺部と前記横辺部とを有する矩形状となるように巻回された第３のコイルを設け、
該第３のコイルの前記横辺部は、前記チルト駆動マグネットにおける前記縦辺部に平行な分極線が前記トラッキング方向における中央位置となるように配置するとともに、前記２つのコイルの横辺部と同方向の電流が流れるように接続したことを特徴とする対物レンズ駆動装置。
【請求項１３】
請求項１において、
前記対物レンズは、前記レンズホルダの一方端側で保持され、前記チルト駆動機構は、前記レンズホルダの他方端側に配置されていることを特徴とする対物レンズ駆動装置。
【請求項１４】
請求項１３において、
前記チルト駆動機構の前記チルト駆動マグネットと前記チルト駆動コイルとのいずれか一方は、前記レンズホルダの他方端側に保持されていることを特徴とする対物レンズ駆動装置。
【請求項１５】
請求項１３において、
さらに、前記レンズホルダには、該レンズホルダの共振振動を抑制するためのダンパ手段が構成され、
当該ダンパ手段は、前記レンズホルダに取り付けられた弾性部材と、該弾性部材に取り付けられた前記チルト駆動コイルまたはチルト駆動マグネットとから構成されていることを特徴とする対物レンズ駆動装置。
【請求項１６】
請求項１において、
前記チルト駆動コイルは、前記レンズホルダの側に取り付けられていることを特徴とする対物レンズ駆動装置。
【請求項１７】
請求項１ないし１６のいずれかに記載の対物レンズ駆動装置を備えることを特徴とする光ヘッド装置。
【発明の詳細な説明】
【技術分野】
【０００１】
本発明は、いわゆるワイヤサスペンションタイプの対物レンズ駆動装置、及びそれを備えた光ヘッド装置に関するものである。
【背景技術】
【０００２】
ＣＤやＤＶＤなどの光記録ディスクの記録、再生等に用いられている光ヘッド装置としては、対物レンズと、対物レンズを保持したレンズホルダと、レンズホルダを移動可能に複数本のワイヤで支持する固定側部材と、レンズホルダをフォーカシング方向及びトラッキング方向に駆動するフォーカシング・トラッキング駆動機構と、レンズホルダをチルト方向に駆動するチルト駆動機構とを有するいわゆるワイヤサスペンションタイプの対物レンズ駆動装置を備える光ヘッド装置が知られている。
【０００３】
かかる光ヘッド装置に用いられる対物レンズ駆動装置においては、チルト駆動機構として、１つのチルト駆動コイルと分離配置された１対（２つ）のチルト駆動マグネットとから構成されるチルト駆動機構が用いられている（例えば、特許文献１、２参照）。
【０００４】
また、チルト駆動機構としては、１対のチルト駆動コイルと１対のチルト駆動マグネットとが分離配置されて構成されるチルト駆動機構も用いられている（例えば、特許文献３、４参照。）。
【特許文献１】特開２００３−３０３４３２号公報
【特許文献２】特開２００３−２７２２０１号公報
【特許文献３】特開２００３−１９６８７１号公報
【特許文献４】特開２００３−８５７９８号公報
【発明の開示】
【発明が解決しようとする課題】
【０００５】
近年、光ヘッド装置では、ノートパソコンなどに搭載するために装置全体の小型化が求められており、そのため、光ヘッド装置を構成する対物レンズ駆動装置の小型化も要求されている。
【０００６】
しかしながら、従来のチルト駆動機構付きの対物レンズ駆動装置では、少なくとも１対のチルト駆動マグネットを分離した状態で設置する必要があることから、装置を小型化することが困難である。また、１対のチルト駆動マグネットを設置することから装置が高価になる。
【０００７】
そこで、本発明の課題は、チルト駆動機構を備えたワイヤサスペンションタイプの対物レンズ駆動装置において、チルト駆動機構の構成を簡素化して装置の小型化を図ることができる構成を提供することにある。
【課題を解決するための手段】
【０００８】
上記の課題を解決するために、本発明では、対物レンズと、該対物レンズを保持するレンズホルダと、該レンズホルダを移動可能に複数本のワイヤで支持する固定側部材と、前記レンズホルダをフォーカシング方向及びトラッキング方向に駆動するフォーカシング・トラッキング駆動機構と、前記レンズホルダをチルト方向に駆動するチルト駆動機構とを備える対物レンズ駆動装置において、前記チルト駆動機構は、前記レンズホルダおよび前記固定側部材のいずれか一方側に取り付けられ１箇所に配置されたチルト駆動コイルと、前記レンズホルダおよび前記固定側部材の他方側で前記チルト駆動コイルと対向する１箇所に配置されたチルト駆動マグネットとからなることを特徴とする。
なお、本発明における複数本のワイヤは、通常の丸棒状のワイヤに限らず、薄板等の板状のプレートを用いてもよい。即ち、断面形状が円形であるものに限らず、矩形状であってもよい。
【０００９】
本発明において、前記チルト駆動マグネットは、前記チルト駆動コイルと対向する位置に配置された１つのマグネットからなることが好ましい。又は、１箇所に配置されるチルト駆動マグネットは、前記チルト駆動コイルと対向する位置に配置された、単極着磁された複数個のマグネットを一体化したものであるか、近接配置したものとすることもできる。
【００１０】
本発明において、前記チルト駆動コイルは、前記チルト駆動マグネットと対向する位置に配置された１つのコイルからなることが好ましい。又は、前記チルト駆動コイルは、１つのコイルから構成するほかに、前記チルト駆動マグネットと対向する位置に配置された、互いに逆方向となるように巻回接続された２つのコイルから構成することもでき、又は、互いに同方向となるように巻回接続された複数のコイルから構成することもできる。前記チルト駆動コイルを、互いに逆方向となるように巻回接続された２つのコイルから構成する場合、前記チルト駆動マグネットは、２極のみの着磁構成とすることができる。前記チルト駆動コイルを、互いに同方向となるように巻回接続された複数のコイルから構成する場合、前記チルト駆動マグネットは、４つの着磁部を有するように構成する必要があるが、チルト駆動コイルを逆方向に巻回する必要はない。
【００１１】
本発明において、前記チルト駆動コイルは、前記チルト駆動マグネットとの対向面が縦辺部と横辺部とを有する矩形状となるように巻回され、前記チルト駆動マグネットは、前記チルト駆動コイルとの対向面に、前記縦辺部及び横辺部に平行な分極線により４極に分極着磁された４つの着磁部を有するとともに、当該４つの着磁部には前記チルト駆動コイルの巻回方向に沿ってＮ極およびＳ極が交互に着磁され、前記縦辺部及び横辺部は、前記４つの着磁部のうち２つの着磁部に跨って対向するように配置されていることが好ましい。このように構成することで、１つの駆動コイルに対して１対のチルト駆動マグネットを分離した状態で設置することなく、１つのチルト駆動マグネットのみを用いてチルト駆動機構を実現することができる。
【００１２】
本発明において、前記チルト駆動コイルは、前記レンズホルダが駆動されるトラッキング方向と平行に形成される横辺部を備えるとともに、前記チルト駆動マグネットは、前記レンズホルダが駆動されるフォーカシング方向に着磁されたＮ極およびＳ極を有し、前記レンズホルダが駆動されるトラッキング方向における前記チルト駆動コイルの前記横辺部の両側において、前記チルト駆動マグネットと前記チルト駆動コイルとに前記レンズホルダが駆動されるフォーカシング方向に関して逆方向の力を相対的に発生させるように構成することができる。このように構成すれば、１箇所に配置されたチルト駆動コイルと１箇所に配置されたチルト駆動マグネットとを用いて、前記レンズホルダをチルト方向に駆動することができる。
【００１３】
上記発明において、前記チルト駆動コイルは、前記チルト駆動マグネットとの対向面が縦辺部と前記横辺部とを有する矩形状となるように巻回された１つのコイルからなり、前記チルト駆動マグネットは、前記チルト駆動コイルとの対向面に、前記縦辺部および前記横辺部とに平行な分極線により４極に分極着磁された４つの着磁部を有し、前記チルト駆動コイルの前記横辺部の両側における前記チルト駆動マグネットの着磁部は、前記レンズホルダが駆動されるフォーカシング方向に関して逆極性となるように着磁されており、前記１つのコイルに通電したときに、前記チルト駆動コイルの前記横辺部の両側において、前記チルト駆動マグネットと前記チルト駆動コイルとに前記レンズホルダが駆動されるフォーカシング方向に関して逆方向の力を相対的に発生させるように構成することができる。この場合、チルト駆動コイルの前記横辺部は、チルト駆動マグネットの縦辺部に平行な分極線がトラッキング方向における中央位置となるように配置することが好ましい。このように構成すれば、１つのチルト駆動コイルと１箇所に配置されたチルト駆動マグネットとを用いて、前記レンズホルダをチルト方向に駆動することができる。この場合、４つの着磁部を有するチルト駆動マグネットは、ひとつのマグネットとして構成してもよいし、４つのマグネットを１箇所に配置するようにしてもよい。
【００１４】
上記発明において、前記チルト駆動マグネットは、前記チルト駆動コイルとの対向面に、前記横辺部とに平行な分極線により２極に分極着磁された２つの着磁部を有し、前記チルト駆動コイルは、前記チルト駆動マグネットとの対向面に前記横辺部を有するように巻回された２つのコイルを、前記レンズホルダが駆動されるトラッキング方向に並べて配置するとともに、同極の着磁部に配設された前記２つのコイルの前記横辺部に逆方向の電流が流れるように互いに接続して構成することができる。このように構成すれば、前記２つのコイルの前記横辺部にそれぞれ逆方向の電流が流れることにより、前記２つのコイルのそれぞれの前記横辺部において、前記チルト駆動マグネットと前記２つのチルト駆動コイルとに前記レンズホルダが駆動されるフォーカシング方向に関して逆方向の力を相対的に発生させることができる。
【００１５】
上記発明において、前記チルト駆動マグネットは、前記チルト駆動コイルとの対向面に、前記縦辺部および前記横辺部とに平行な分極線により４極に分極着磁された４つの着磁部を有し、前記チルト駆動コイルは、前記チルト駆動マグネットとの対向面が縦辺部と前記横辺部とを有する矩形状となるように巻回された２つのコイルを前記トラッキング方向に並べて配置するとともに、前記チルト駆動コイルの縦辺部と平行な分極線により分極された着磁部に前記２つのコイルをそれぞれ配設し、前記２つのコイルの横辺部に同方向の電流が流れるように互いに接続して構成し、前記２つのコイルの横辺部における前記チルト駆動マグネットの着磁部は、前記レンズホルダが駆動されるフォーカシング方向に関して逆極性となるように着磁されているように構成してもよい。このように構成しても、前記２つのコイルに通電したときに、前記レンズホルダが駆動されるトラッキング方向の両側において、前記チルト駆動マグネットと前記チルト駆動コイルとに前記レンズホルダが駆動されるフォーカシング方向に関して逆方向の力を相対的に発生させることができる。更にまた、前記２つのコイルの前記トラッキング方向における間に第３のコイルを設けるようにしてもよい。この場合、第３のコイルの横辺部は、チルト駆動マグネットにおける前記縦辺部に平行な分極線が前記トラッキング方向における中央位置となるように配置するとともに、２つのコイルの横辺部と同方向の電流が流れるように接続する。
【００１６】
本発明において、前記対物レンズは、前記レンズホルダの一方端側で保持され、前記チルト駆動機構は、前記レンズホルダの他方端側に配置されていることが好ましい。このように、対物レンズとチルト駆動機構とを対物レンズ駆動装置の両端に配置すると、対物レンズ駆動装置のバランスを適切に保つことができるため、安定したフォーカシング制御、トラッキング制御を行うことができる。
【００１７】
本発明において、さらに、前記レンズホルダには、該レンズホルダの共振振動を抑制するためのダンパ手段が構成されていることが好ましい。このような場合、当該ダンパ手段は、前記レンズホルダに取り付けられた弾性部材と、該弾性部材に取り付けられた前記チルト駆動コイルまたはチルト駆動マグネットとから構成することが好ましい。このように構成することで、チルト駆動機構の構成部品を用いて、レンズホルダの共振振動を吸収することができる。
【００１８】
本発明において、前記チルト駆動コイルは、例えば、前記レンズホルダの側に取り付けられていることが好ましい。チルト駆動コイルとチルト駆動マグネットとを比較すると、チルト駆動コイルの方が軽いので、チルト駆動マグネットをレンズホルダに搭載した場合と比べて、レンズホルダ側を軽量に構成することができる。その結果、チルト駆動機構を構成した場合でも、対物レンズ駆動装置の特性の低下を抑制できる。また、この場合には、前記レンズホルダを支持するワイヤを介して、チルト駆動コイルに給電すればよい。
【００１９】
本発明における対物レンズ駆動装置は、光ヘッド装置に用いることができる。
【発明の効果】
【００２０】
本発明では、１箇所に配置されたチルト駆動コイルと１箇所に配置したチルト駆動マグネットのみでチルト駆動機構を構成したので、チルト駆動機構を搭載しても対物レンズ駆動装置の小型化を達成しやすい。また、チルト駆動コイルまたはチルト駆動マグネットを１つのマグネットで構成した場合には、部品点数を減らすことができるので、小型化に加えて、光ヘッド装置のコストを削減することができる。
【発明を実施するための最良の形態】
【００２１】
以下、本発明を図面に示す実施の形態に基づいて説明する。
【００２２】
［全体構成］
図１（Ａ）、（Ｂ）はそれぞれ、本発明の一実施形態に係る対物レンズ駆動装置を示す平面図及び側面図である。図２（Ａ）、（Ｂ）、（Ｃ）は、それぞれ図１に示す対物レンズ駆動装置のレンズホルダの平面図、側面図、及びチルト駆動コイル側からみた正面図である。図３（Ａ）、（Ｂ）はそれぞれ、図１に示す対物レンズ駆動装置に用いたチルト駆動マグネットの正面図及び側面図である。
【００２３】
図１において、本発明を適用した対物レンズ駆動装置１は、所定の光学系を備えてＣＤあるいはＤＶＤなどの光記録ディスクに対する情報記録、情報再生を行う光ヘッド装置に用いられるものである。光ヘッド装置の装置フレームなどの構成については周知のものを用いることができるので、その説明を省略するが、対物レンズ駆動装置１は、対物レンズ２と、対物レンズ２を保持するレンズホルダ３と、レンズホルダ３をフォーカシング方向（矢印Ｆｏで示す方向）、トラッキング方向（矢印Ｔｒで示す方向）、及びチルト方向（矢印Ｔｉで示す方向）に移動可能に６本のワイヤ４で支持する固定側部材７と、レンズホルダ３をフォーカシング方向Ｆｏ及びトラッキング方向Ｔｒに駆動するフォーカシング・トラッキング駆動機構８と、レンズホルダ３をチルト方向Ｔｉに駆動するチルト駆動機構１２とを備えている。
【００２４】
固定側部材７は、レンズホルダ３を先端側で支持するワイヤ４と、ワイヤ４をその基端側において支持するホルダ支持部材５と、本体フレームを構成するとともにフォーカシング・トラッキング駆動機構８及びチルト駆動機構１２の一部を構成するヨーク６とからなる。ホルダ支持部材５は、ヨーク６に接着などの固定手段により固定されている。ワイヤ４は、通常の丸棒状のワイヤを用いることができるが、断面矩形形状である薄板等の板状のプレートを用いてもよい。板状のプレートは、薄板をプレスにより打ち抜くようにすれば、容易に構成することができ、ワイヤ４として用いることができる。
【００２５】
レンズホルダ３は、図２に示すように、中央にレンズ２が取り付けられた台形状の張出部３ａと、この張出部３ａの底辺３ｂを一辺として四角形筒状に形成された胴部３ｃとから構成されている。また、レンズホルダ３は、トラッキング方向両側でフォーカシング方向に３段で配置された６本のワイヤ４（図１（Ａ）、（Ｂ）を参照）により支持されている。
【００２６】
６本のワイヤ４は、それぞれ、後述するフォーカシング駆動コイル９、トラッキング駆動コイル１０、及びチルト駆動コイル１３への給電ワイヤとしても用いられている。従って、ワイヤ４の先端側は、レンズホルダ３のトラッキング方向両側に固着されている中継基板１７に半田付けされて固定されている。一方、ワイヤ４の基端側は、ホルダ支持部材５の背面に取り付けられたプリント基板１６の配線パターンに半田付けされている。また、プリント基板１６には、ワイヤ４への給電を行う給電用のフレキシブル基板１８が半田付けされて固定されている。
【００２７】
フォーカシング・トラッキング駆動機構８は、レンズホルダ３に搭載された１つのフォーカシング駆動コイル９と、２つのトラッキング駆動コイル１０と、ヨーク６の底面部６ａから切り起こされた保持部６ｂに保持された１対のフォーカシング・トラッキング駆動マグネット１１とから構成され、レンズホルダ３の略中央部に配置されている。フォーカシング駆動コイル９は矩形状に巻回され、その外周側で三辺がレンズホルダ３の胴部３ｃの内周側に接着等により固定されている。トラッキング駆動コイル１０は２つの平面コイルからなり、フォーカシング駆動コイル９の上記３辺を除いた残りの一辺の外面に貼付けられている。
【００２８】
１対のフォーカシング・トラッキング駆動マグネット１１は、レンズホルダ３の胴部３ｃの内側に対して、フォーカシング駆動コイル９の一辺、及びトラッキング駆動コイル１０を挟む両側位置で対向するように配置されている。
【００２９】
［チルト駆動機構の構成］
本形態において、チルト駆動機構１２は、レンズホルダ３の側に搭載された１つのチルト駆動コイル１３と、ヨーク６の底面部６ａから切り起こされた保持部６ｃの側（固定側部材の側）に固着された１つのチルト駆動マグネット１４とから構成されている。
【００３０】
ここで、フォーカシング方向Ｆｏ及びトラッキング方向Ｔｒの双方に直交する方向において、対物レンズ２を保持する張出部３ａをレンズホルダ３の一方端側とした場合、チルト駆動機構１２は、張出部３ａとは反対側のレンズホルダ３の他方端側に配置されている。言い換えると、チルト駆動機構１２は、図１においてワイヤ４の基端側に配置されている。
【００３１】
本形態において、チルト駆動コイル１３は、チルト駆動マグネット１４との対向面が縦辺部１３ａ（フォーカシング方向）と横辺部１３ｂ（トラッキング方向）とを有する矩形状になるよう巻回された平面コイルであり、上記のレンズホルダ３の他方端側における胴部３ｃの外面３ｄに貼付けられている（図２参照）。本実施形態においては、チルト駆動コイル１３は、縦辺部１３ａが短辺となり、横辺部１３ｂが長辺となるような長方形状に巻回されている。
【００３２】
チルト駆動マグネット１４は、図３に示すように図示縦方向を短辺側（フォーカシング方向）とする扁平な直方体形状に形成されており、対向面１４ａがチルト駆動コイル１３に対向するように保持部６ｃに固定されている。保持部６ｃは、レンズホルダ３の胴部３ｃの外周側に配置されるようヨーク６の底面部６ａから切り起こし形成されている。
【００３３】
［チルト駆動コイルとチルト駆動マグネットの配置関係］
図４は、本形態の対物レンズ駆動装置におけるチルト駆動コイル側からみたチルト駆動コイルとチルト駆動マグネットとの配置関係を示す説明図である。
【００３４】
図４に示すように、チルト駆動コイル１３及びチルト駆動マグネット１４は、チルト駆動コイル１３の縦辺部１３ａ（フォーカシング方向）とチルト駆動マグネット１４の縦方向の短辺部１４ｂ（フォーカシング方向）とが略平行となるように対向配置されている。
【００３５】
ここで、チルト駆動マグネット１４は、チルト駆動コイル１３の縦辺部１３ａと平行に形成される分極線１４ｃ、及び横辺部１３ｂ（トラッキング方向）と平行に形成される分極線１４ｄにより４極に分極されて着磁された四つの着磁部を有している。すなわち、チルト駆動マグネット１４は、第１の着磁部１４１と第２の着磁部１４２と第３の着磁部１４３と第４の着磁部１４４との４極に分極されて着磁されている。また、第１着磁部１４１から第４着磁部１４４には、チルト駆動コイル１３の巻回方向Ｘに沿ってＮ極、Ｓ極が交互に着磁されている。例えば、第１の着磁部１４１がＳ極に、第２の着磁部１４２がＮ極に、第３の着磁部１４３がＳ極に、第４の着磁部１４４がＮ極に着磁されている。
【００３６】
さらに、チルト駆動コイル１３の縦辺部１３ａ及び横辺部１３ｂは、第１の着磁部１４１から第４の着磁部１４４のうち、２つの着磁部に跨った状態でチルト駆動マグネット１４に対向配置されている。すなわち、図４において、例えば図示右側の縦辺部１３ａは、Ｓ極に着磁された第１の着磁部１４１とＮ極に着磁された第４の着磁部１４４とに跨った状態、即ち、分極線１４ｄが中央位置となるように対向配置されている。また、図示上側の横辺部１３ｂは、Ｓ極に着磁された第１の着磁部１４１とＮ極に着磁された第２の着磁部１４２とに跨った状態、即ち、分極線１４ｃが中央位置となるように対向配置されている。同様に、図示左側の縦辺部１３ａは、第２の着磁部１４２と第３の着磁部１４３とに跨った状態で対向配置され、図示下側の横辺部１３ｂは、第３の着磁部１４３と第４の着磁部１４４とに跨った状態で対向配置されている。尚、図４に示されるようにチルト駆動コイル１３の外形は、チルト駆動マグネット１４の外形よりも小さく形成されている。
【００３７】
［チルト駆動動作の説明］
以上のような関係で配置されたチルト駆動コイル１３とチルト駆動マグネット１４とを備えたチルト駆動機構１２によって、レンズホルダ３は、以下に説明するように、チルト方向Ｔｉ（図１参照）に駆動される。
【００３８】
図４において、チルト駆動コイル１３に対して反時計方向に電流が供給されると、トラッキング方向に関して右側に位置する、第１の着磁部１４１に対向する横辺部１３ｂ、及び第４の着磁部１４４に対向する横辺部１３ｂには図示下方（フォーカシング方向下向き）への力が発生し、トラッキング方向に関して左側に位置する、第２の着磁部１４２に対向する横辺部１３ｂ、及び第３の着磁部１４３に対向する横辺部１３ｂには図示上方（フォーカシング方向上向き）への力が発生する。従って、これらの力がバランスして、レンズホルダ３は図示時計方向にチルト駆動される。
【００３９】
これに対して、チルト駆動コイル１３に対して時計方向に電流が供給されると、横辺部１３ｂには上記と反対の方向への力が発生し、レンズホルダ３は図示反時計方向にチルト駆動される。
【００４０】
なお、チルト駆動コイル１３は矩形状に巻回されていれば良いが、上記のチルト駆動を適切に行うためには、横辺部１３ｂの長さが長くなるような縦辺部１３ａと横辺部１３ｂとの長さが相違する長方形状に巻回されていることが好ましい。
【００４１】
［本実施形態の効果］
以上説明したように、本形態における対物レンズ駆動装置１では、チルト駆動マグネット１４は、チルト駆動コイル１３の縦辺部１３ａと平行に形成される分極線１４ｃ及び横辺部１３ｂと平行に形成される分極線１４ｄにより４極に分極されて着磁された第１の着磁部１４１から第４の着磁部１４４を有するとともに、第１着磁部１４１から第４着磁部１４４には、チルト駆動コイル１３の巻回方向Ｘに沿ってＮ極、Ｓ極が交互に着磁されている。さらに、チルト駆動コイル１３の縦辺部１３ａ及び横辺部１３ｂは第１の着磁部１４１から第４の着磁部１４４のうち二つの着磁部に跨った状態でチルト駆動マグネット１４に対向配置されている。従って、レンズホルダの両側に配置するというような１対のチルト駆動マグネットを設置することなく、１つのみのチルト駆動マグネット１４を用いてチルト駆動機構１２を実現することができる。
【００４２】
また、平面コイルからなるチルト駆動コイル１３と扁平なマグネットからなるチルト駆動マグネット１４によりチルト駆動機構１２を構成し、ワイヤサスペンションタイプの対物レンズ駆動装置１においてデッドスペースであるレンズホルダ３とホルダ支持部材５の間にチルト駆動マグネット１４を配置しているので、チルト駆動機構１２を搭載しても対物レンズ駆動装置１の小型化を図ることができる。
【００４３】
本形態では、フォーカシング・トラッキング駆動機構８がレンズホルダ３の略中央部に配置されている。従って、フォーカシング・トラッキング駆動機構８の重心位置と対物レンズ駆動装置１の重心位置を一致させることが可能になる。また、対物レンズ２が、フォーカシング方向Ｆｏ及びトラッキング方向Ｔｒの双方に直交する方向におけるレンズホルダ３の一方端側で張出部３ａに保持されるとともに、チルト駆動機構１２がレンズホルダ３の他方端側に配置されている。従って、チルト駆動機構１２を構成するチルト駆動コイル１３をバランスウエイトとして用いることが可能となり、対物レンズ駆動装置１のバランスを適切に保つことができる。その結果、安定したフォーカシング制御、トラッキング制御が行われることになる。
【００４４】
また、上述のように、対物レンズ２がレンズホルダ３の一方端側で張出部３ａに保持されるとともに、チルト駆動機構１２がレンズホルダ３の他方端側に配置されているため、チルト駆動機構１２で発生した熱の光学系に与える影響を抑えることができる。
【００４５】
さらに、チルト駆動機構１２は、ワイヤ４の基端側に配置されているため、チルト方向Ｔｉへの駆動時におけるチルト駆動コイル１３とチルト駆動マグネット１４との位置ずれを小さくすることができる。そのため、適切なチルト駆動が可能になる。
【００４６】
また、本形態では、チルト駆動マグネット１４に比べて軽量なチルト駆動コイル１３がレンズホルダ３に搭載されているので、レンズホルダ３の重量の増加を最小限に抑えることができる。この結果、対物レンズ駆動装置１の特性の低下を抑制できる。
【００４７】
［他の実施の形態］
上述した実施形態は、本発明の好適な形態の一例ではあるが、これに限定されるものではなく本発明の要旨を変更しない範囲において種々変形可能である。例えば、上記実施の形態のチルト駆動コイル１３は、チルト駆動マグネット１４との対向面が、縦辺部１３ａと横辺部１３ｂとを有する矩形状になるように巻回された１つの平面コイルで構成されているが、図６に示すように、２つに分割した平面コイルをトラッキング方向に並設させることにより構成してもよい。図６は、本発明の他の形態に係わる対物レンズ駆動装置をチルト駆動コイル側からみたチルト駆動コイルとチルト駆動マグネットとの配置関係を示す説明図である。この場合、２つの平面コイルであるチルト駆動コイル１３０、１３１は、図示左側のチルト駆動コイル１３０をＹ方向（時計方向）に沿って巻回した後、連続して図示右側のチルト駆動コイル１３１をＺ方向（反時計方向）に沿って巻回することにより形成されている。即ち、左側のチルト駆動コイル１３０と右側のチルト駆動コイル１３１は逆方向に巻回されており、従って、左側のチルト駆動コイル１３０に時計方向の電流を流したとき、右側のチルト駆動コイル１３１には反時計方向の電流が流れることになる。また、これらチルト駆動コイル１３０、１３１は、上記実施の形態と同様に、それぞれの縦辺部１３０ａ，１３１ａが短辺となり、それぞれの横辺部１３０ｂ、１３１ｂが長辺となるような長方形状に巻回されている。
【００４８】
図５（Ａ）、（Ｂ）は、それぞれ本発明の他の形態に係るチルト駆動マグネットの正面図及び側面図である。
【００４９】
チルト駆動マグネット１４０は、図５に示すように図示縦方向を短辺側とする扁平な直方体形状に形成されており、対向面１４０ａが２つのチルト駆動コイル１３０、１３１に対向するように、ヨーク６の底面部６ａから切り起こされた保持部６ｃに固定されている。２つのチルト駆動コイル１３０、１３１及びチルト駆動マグネット１４０は、２つのチルト駆動コイル１３０、１３１のそれぞれの縦辺部１３０ａ，１３１ａとチルト駆動マグネット１４０の縦方向の短辺部１４０ｂとが略平行となるように対向配置されている。
【００５０】
ここで、チルト駆動マグネット１４０は、２つのチルト駆動コイル１３０、１３１のそれぞれの横辺部１３０ｂ、１３１ｂと平行に形成される分極線１４０ｄにより２極に分極されて着磁された２つの着磁部を有している。すなわち、チルト駆動マグネット１４０は、第１の着磁部１４５と第２の着磁部１４６との２極に分極されて着磁されている。例えば、本形態の場合、第１の着磁部１４５がＳ極に、第２の着磁部１４６がＮ極に着磁されている。
【００５１】
２つのチルト駆動コイル１３０、１３１は、互いに逆方向に巻回形成されており、チルト駆動コイル１３０、１３１のそれぞれの縦辺部１３０ａ、１３１ａは、第１の着磁部１４５と第２の着磁部１４６に跨った状態でチルト駆動マグネット１４０に対向配置されている。すなわち、図６において、それぞれのチルト駆動コイル１３０、１３１の縦辺部１３０ａ，１３１ａは、Ｓ極に着磁された第１の着磁部１４５とＮ極に着磁された第２の着磁部１４６とに跨った状態で対向配置されている。また、図６において、それぞれのチルト駆動コイル１３０、１３１の図示上側の横辺部１３０ｂ、１３１ｂは、Ｓ極に着磁された第１の着磁部１４５に対向配置されている。さらに、図示下側の横辺部１３０ｂ、１３１ｂは、Ｎ極に着磁された第２の着磁部１４６に対向配置されている。尚、並設された２つのチルト駆動コイル１３０、１３１の外形は、図６に示されるようにチルト駆動マグネット１４０の外形よりも小さく形成されている。
【００５２】
このように構成された２つのチルト駆動コイル１３０、１３１およびチルト駆動マグネット１４０によってレンズホルダ３は、以下に説明するようにチルト方向Ｔｉに駆動される。すなわち、図６において、図示左側のチルト駆動コイル１３０に対して、時計方向に電流が供給されると、第１の着磁部１４５に対向する図示上側の横辺部１３０ｂ、および第２の着磁部１４６に対向する図示下側の横辺部１３０ｂには図示上方への力が発生する。また、図示左側のチルト駆動コイル１３０に対して、時計方向に電流が供給されたとき、２つのチルト駆動コイル１３０、１３１は、互いに逆方向に巻回形成されているので、図示右側のチルト駆動コイル１３１には、反時計方向に電流が供給されるため、図示右側のチルト駆動コイル１３１の、第１の着磁部１４５に対向する図示上側の横辺部１３１ｂ、および第２の着磁部１４６に対向する図示下側の横辺部１３１ｂには図示下方への力が発生する。これらの力がバランスして、レンズホルダ３は図示時計方向にチルト駆動される。
【００５３】
これに対して、図示左側のチルト駆動コイル１３０に対して、反時計方向に電流が供給されると、図示右側のチルト駆動コイル１３１には、時計方向に電流が供給される。このとき、それぞれのチルト駆動コイル１３０、１３１の横辺部１３０ｂ、１３１ｂには、上記と反対の方向への力が作用し、レンズホルダは、図示反時計方向にチルト駆動される。
【００５４】
図３に示した実施形態においては、チルト駆動マグネット１４は一体に形成されたものを４極に分極着磁しているが、単極着磁されたマグネットを４つ組み合わせて一体にすることで４極に着磁されたチルト駆動マグネット１４を構成しても良い。また、単極着磁されたマグネットを４つ、近接させて、対物レンズ駆動装置１の１箇所に配置してもよい。
【００５５】
上述した実施形態では、チルト駆動コイル１３をレンズホルダ３の側に取り付けたが、ヨーク６側（固定側部材７の側）に取り付けてチルト駆動マグネット１４と対向配置しても良い。この場合、チルト駆動マグネット１４がレンズホルダ３へ取り付けられチルト駆動マグネット１４の位置が変動するとともにレンズホルダ３が重くなるため、レンズホルダ３のバランスを取ることは難しくなるが、レンズホルダ３への給電が不要となり、ワイヤ４を４本で構成することが可能となる。従って、装置を簡素化し製品コストを引き下げることができる。
【００５６】
さらにまた、図７（Ａ）、（Ｂ）に示すように、レンズホルダ３に対して、チルト駆動マグネット１４を用いてレンズホルダ３の共振振動を吸収するダンパ手段１９を構成しても良い。この場合、チルト駆動機構１２の構成部品であるチルト駆動マグネット１４を、クロロプレンゴムなどの弾性部材２０を介してレンズホルダ３に固定することが好ましい。なお、レンズホルダ３の側にチルト駆動コイル１３を設けた場合には、チルト駆動コイル１３をクロロプレンゴムなどの弾性部材２０を介してレンズホルダ３に固定してダンパ手段を構成すればよい。
【００５７】
また、図６に示す実施形態では、２つに分割した平面コイルが互いに逆方向に巻回形成されているが、この２つに分割した平面コイルは、同方向に巻回したものを使用することもできる。図８は、同方向に巻回した２つのチルト駆動コイル１５０、１５１を用いる実施形態を示すもので、この場合には、チルト駆動マグネット１４としては、図３（Ａ）、（Ｂ）に示すものを用いる。図８において、図示左側のチルト駆動コイル１５０に対して、時計方向に電流が供給されると、既に説明したようにチルト駆動コイル１５０には図示下方への力が発生する。この時、図示右側のチルト駆動コイル１５１にも時計方向に電流が供給されるが、チルト駆動コイル１５１の２つの横辺部に対向するチルト駆動マグネット１４の極性はチルト駆動コイル１５０の場合とは逆になっているので、図示右側のチルト駆動コイル１５１には図示上方への力が発生し、レンズホルダ３は反時計方向にチルト駆動することができる。チルト駆動コイル１５０、１５１に対して、反時計方向の電流を供給すると、上記の例とは逆に動作し、レンズホルダ３を時計方向にチルト駆動することができる。
【００５８】
図８の実施形態は、同方向に巻回した２つの平面コイルを用いる実施形態であるが、同方向に巻回した平面コイルの数は、３つ以上とすることもできる。図９は、図８の実施形態において、２つのコイルの間に、第３のコイルを配置したものである。即ち、図９は、３つのチルト駆動コイル１６０、１６１、１６２を用いる実施形態を示すもので、この場合も、チルト駆動マグネット１４としては、図３（Ａ）、（Ｂ）に示すものを用いている。図９において、第３のコイルである中央のチルト駆動コイル１６１は、フォーカシング方向に形成された分極線１４ｃが中央位置となるように配置され、また、トラッキング方向両側に配置された２つのチルト駆動コイル１６０、１６２は、分極線１４ｃに対して等距離に配置されている。
【００５９】
従って、図９において、チルト駆動コイル１６０に対して、時計方向に電流が供給されると、図８の場合と同様に、チルト駆動コイル１６０には図示下方への力が発生する。また、この時、チルト駆動コイル１６２にも時計方向に電流が供給されるが、チルト駆動コイル１６２の２つの横辺部に対向するチルト駆動マグネット１４の極性はチルト駆動コイル１６０の場合とは逆になっているので、チルト駆動コイル１６２には図示上方への力が発生する。また、チルト駆動コイル１６１は、左側半分のチルト駆動コイル１６１の２つの横辺部が対向するチルト駆動マグネット１４の極性はチルト駆動コイル１６０の場合と同じであり、右側半分のチルト駆動コイル１６１の２つの横辺部が対向するチルト駆動マグネット１４の極性はチルト駆動コイル１６２の場合と同じであるので、チルト駆動コイル１６１の左側には下向きの、また、右側には上向きの力が発生する。従って、この場合も、図８に示す実施形態と同様に、レンズホルダ３は反時計方向にチルト駆動することができる。チルト駆動コイル１６０、１６１、１６２に対して、反時計方向の電流を供給すると、上記の例とは逆に動作し、レンズホルダ３を時計方向にチルト駆動することができる。
【００６０】
また、図３に示す実施形態では、チルト駆動マグネット１４を直方体形状に形成したが、少なくとも対向面１４ａがチルト駆動コイル１３の縦辺部１３ａと平行に形成される分極線１４ｃ、及び横辺部１３ｂと平行に形成される分極線１４ｄにより４極に分極されて着磁されていれば、直方体形状でなく、例えば扁平な円柱形状に形成しても良い。また、チルト駆動マグネット１４の着磁も４極には限定されず、レンズホルダ３のチルト駆動が可能となるように多極に着磁することもできる。
【００６１】
さらに、上述した実施形態のチルト駆動機構１２をレンズホルダ３のディスクラジアル方向の両側位置に配置すれば、ディスクに対するタンジェンシャル方向のチルト駆動が可能になる。
【００６２】
さらにまた、フォーカシング駆動コイル９に対するチルト駆動マグネット１４からの磁気的影響を確実に排除するため、チルト駆動コイル１３が貼り付けられたレンズホルダ３の胴部３ｃの肉厚を厚くしてフォーカシング駆動コイル９をチルト駆動マグネット１４から遠ざける構成や、チルト駆動コイル１３とフォーカシング駆動コイル９との間にヨークを設ける構成を採用してもよい。
【産業上の利用可能性】
【００６３】
本発明の対物レンズ駆動装置では、１箇所に配置したチルト駆動コイルと１箇所に配置したチルト駆動マグネットのみでチルト駆動機構を構成したので、チルト駆動機構を搭載しても対物レンズ駆動装置の小型化を妨げることがない。従って、チルト駆動機構を搭載しないワイヤサスペンションタイプの対物レンズ駆動装置を備えた光ヘッド装置において、当該対物レンズ駆動装置をそのまま、本発明の対物レンズ駆動装置に置き換えて光ヘッド装置を構成することができるなどの利点がある。また、チルト駆動マグネットを１つのマグネットで構成した場合には、小型化および低コスト化を図ることができる。
【図面の簡単な説明】
【００６４】
【図１】（Ａ）、（Ｂ）は、それぞれ本発明の一実施形態に係る対物レンズ駆動装置を示す平面図及び側面図である。
【図２】（Ａ）、（Ｂ）、（Ｃ）は、それぞれ図１に示す対物レンズ駆動装置のレンズホルダの平面図、側面図、及びチルト駆動コイル側からみた正面図である。
【図３】（Ａ）、（Ｂ）は、それぞれ図１に示す対物レンズ駆動装置に用いたチルト駆動マグネットの正面図及び側面図である。
【図４】本発明に係わる対物レンズ駆動装置をチルト駆動コイル側からみたチルト駆動コイルとチルト駆動マグネットとの配置関係を示す説明図である。
【図５】（Ａ）、（Ｂ）は、それぞれ本発明の他の形態に係るチルト駆動マグネットの正面図及び側面図である。
【図６】本発明の他の形態に係わる対物レンズ駆動装置をチルト駆動コイル側からみたチルト駆動コイルとチルト駆動マグネットとの配置関係を示す説明図である。
【図７】（Ａ）、（Ｂ）は、それぞれ本発明の他の形態に係る対物レンズ駆動装置におけるレンズホルダの正面図及び側面図である。
【図８】本発明の他の形態に係るチルト駆動コイルとチルト駆動マグネットとの配置関係を示す説明図である。
【図９】本発明の更に他の形態に係るチルト駆動コイルとチルト駆動マグネットとの配置関係を示す説明図である。
【符号の説明】
【００６５】
１  対物レンズ駆動装置
２  対物レンズ
３  レンズホルダ
４  ワイヤ
７  固定側部材
８  フォーカシング・トラッキング駆動機構
１２  チルト駆動機構
１３、１３０、１３１、１５０、１５１、１６０、１６１、１６２  チルト駆動コイル
１３ａ、１３０ａ，１３１ａ  縦辺部
１３ｂ、１３０ｂ、１３１ｂ  横辺部
１４、１４０  チルト駆動マグネット
１４ｃ、１４ｄ、１４０ｄ  分極線
１４１、１４５  第１の着磁部
１４２、１４６  第２の着磁部
１４３  第３の着磁部
１４４  第４の着磁部
１９  ダンパ手段
２０  弾性部材
Ｘ、Ｙ、Ｚ  駆動コイルの巻回方向
【図１】
2006066048.tif 000003
【図２】
2006066048.tif 000004
【図３】
2006066048.tif 000005
【図４】
2006066048.tif 000006
【図５】
2006066048.tif 000007
【図６】
2006066048.tif 000008
【図７】
2006066048.tif 000009
【図８】
2006066048.tif 000010
【図９】
2006066048.tif 000011